(57)【特許請求の範囲】
【請求項１】
上側部（２０１）及び下側部（２０２）を備える主デッキ（２）であって、前記下側部（２０２）の下に取り付けられた衝撃吸収手段（３）を具備する前記主デッキ（２）と、
前記主デッキ（２）の前記下側部（２０２）の下に取り付けられて前記衝撃吸収手段（３）に近接して配置されたサブ床（４）であって、前記衝撃吸収手段（３）の高さ（Ｌ１０）よりも低い厚みを有する前記サブ床（４）と、
を具備する衝撃吸収基礎床セクション（１）において、
前記主デッキ（２）が、少なくとも２つの基礎床セクション（１）を相互接続するための相互接続手段をも具備しており、
前記相互接続手段が、前記上側部（２０１）上に配置されると共に複数のくぎ打ちストリップ（８，９，１０）を備えており、前記複数のくぎ打ちストリップ（８，９，１０）が、互いに横方向に離間して前記主デッキ（２）の前記上側部（２０１）上に延在しており、
前記サブ床（４）が、横方向に離間した前記複数のくぎ打ちストリップ（８，９，１０）の間で延在するように前記主デッキ（２）の前記下側部（２０２）の下に配置され、
前記衝撃吸収手段（３）は、横方向に離間した前記複数のくぎ打ちストリップ（８，９，１０）が前記主デッキ（２）の前記上側部（２０１）に備え付けられているところで、前記主デッキ（２）の前記下側部（２０２）の下に取り付けられている、
ことを特徴とする衝撃吸収基礎床セクション（１）。
【請求項２】
前記サブ床（４）から外方向に及び下方向に延在して埋め込まれている弾性手段（５）をさらに具備し、前記衝撃吸収手段（３）及び前記弾性手段（５）は使用時に同じ平面で覆うための表面に同時に接触するように配置される、請求項１に記載の衝撃吸収基礎床セクション（１）。
【請求項３】
前記弾性手段（５）は、連続的なチャネル（６）に下方向に面して配置される、請求項２に記載の衝撃吸収基礎床セクション（１）。
【請求項４】
前記サブ床（４）は、前記主デッキ（２）の長さに沿った且つ３つの連続する前記衝撃吸収手段（３）の間の２つのパネルでできており、第１及び第２の連続部は、前記主デッキ（２）の２つの相対する縁部に備えられ、第３の連続部は前記主デッキ（２）の中央部分に備えられる、請求項１〜３のいずれか一項に記載の衝撃吸収基礎床セクション（１）。
【請求項５】
前記衝撃吸収手段（３）は、複数の平行な列において前記主デッキ（２）の長さに沿って並べられて周期的な間隔で離間した複数のパッドを具備し、２つの前記列が前記主デッキ（２）の２つの相対する側縁に配置され、２つの列が前記主デッキ（２）の中間部分に配置される、請求項１〜４のいずれか一項に記載の衝撃吸収基礎床セクション（１）。
【請求項６】
前記パッドは４５〜７０の間のデュロメーター硬さを有する、請求項５に記載の衝撃吸収基礎床セクション（１）。
【請求項７】
前記衝撃吸収手段（３）は前記サブ床（４）の長さ及び両側に沿って配置される少なくとも１つのフォームを具備する、請求項１〜４のいずれか一項に記載の衝撃吸収基礎床セクション（１）。
【請求項８】
アンカー手段（７）をさらに具備し、覆うためその表面に前記基礎床セクション（１）を取り付ける、請求項１〜７のいずれか一項に記載の衝撃吸収基礎床セクション（１）。
【請求項９】
前記相互接続手段は、前記主デッキ（２）の相対する第１縁及び第２縁にある第１くぎ打ちストリップ（８）及び第２くぎ打ちストリップ（１０）を含み、前記第１くぎ打ちストリップ（８）は接続部分（１１）を形成するために前記第１縁の後方かつ前記第１縁上に延在し、前記第２くぎ打ちストリップ（１０）は接続部分（１２）を形成するために前記第２縁を超えて外側へかつ前記第２縁上に延在し、両方の接続部分（１１）及び（１２）は互いに協働する、請求項１〜８のいずれか一項に記載の衝撃吸収基礎床セクション（１）。
【請求項１０】
前記相互接続手段は、第３くぎ打ちストリップ（９）を具備し、前記第３くぎ打ちストリップ（９）は、前記主デッキ（２）の上かつ実質的に中心に配置され、第３縁を越えて外側へかつ前記第３縁上に延在すると共に、前記主デッキ（２）の前記第３縁の反対側にある第４縁の後方かつ前記第４縁上に延在し、協働ジョイント部（１３）及び（１４）を形成する、請求項９に記載の衝撃吸収基礎床セクション（１）。
【請求項１１】
前記衝撃吸収基礎床セクション（１）は木でできている、請求項１〜１０のいずれか一項に記載の衝撃吸収基礎床セクション（１）。
【請求項１２】
請求項１〜１１のいずれかに記載される少なくとも２つの相互接続された前記衝撃吸収床セクション（１）及び上側床（２２）を具備する、プレハブの床システム（２１）。
【請求項１３】
スポーツ床である、請求項１２によるプレハブの床システム（２１）。
【発明の詳細な説明】
【技術分野】
【０００１】
本願発明は、プレハブ床システムのための衝撃吸収基礎床及びその基礎床を具備するプレハブ床システムに関する。
【背景技術】
【０００２】
屋内スポーツに使用される領域は、選手やスポーツマンに適した特性の表面、特に適したリバウンド又は衝撃吸収特性を提供するために、合成材料により又は木製の象眼細工の床により、一般的には覆われることが周知である。
【０００３】
衝撃吸収特性は、床システム衝撃吸収装置、例えば、弾性内側要素、及び内側要素を囲む外側要素、を含む米国特許第５６８２７２４号明細書に記載されている弾性パッドを、施工することにより、典型的には、得られる。外側要素は、外側要素よりも高いデュロメーターの材料からなり、横からみると内側要素よりも低い。外側要素は非弾性であることが好ましい。床に加えられる通常の負荷の下では、より柔らかい内側要素は基材に接触するので、所望の床反応特性が得られる。重い負荷の下では、より硬い外側要素が基材に当接するので、床を支持し、内側要素への損傷を防ぐ。
【０００４】
米国特許出願公開第２００９／２１１１９２号明細書は、基礎部分及び角錐台部分を有するスポーツ床アセンブリ用の衝撃吸収体を開示している。基礎部分は、弾性材料から形成され、床アセンブリのサブ床に接続されることが可能であり、床アセンブリはサブ床に近接して配置される第２側を具備している。角錐部分は基礎部分の第１側から延在する。角錐部分は弾性材料から形成され、段面を有している。
【０００５】
しかしながら、従来技術の木製床は多くの欠点を有している。それらは通常設置することが困難である。それらはシステム全体の機能障害に繋がる幾つかの可動部分を有する。それらは、そのうちに疲労するかもしれず、騒々しく、その騒音は、固定されることが意図されているか又は移動することが意図されているかに関わらずシステム内にある様々な構成部品から作られる。さらに、それらは、寸法安定性が少ないので、通常ゲームプレイの均一性を提供しない。
【先行技術文献】
【特許文献】
【０００６】
【特許文献１】米国特許第５６８２７２４号明細書
【特許文献２】米国特許出願公開第２００９／２１１１９２号明細書
【発明の概要】
【発明が解決しようとする課題】
【０００７】
本願発明は、従来技術の欠点を有しない、プレハブの床システムのための基礎床、及び、プレハブの木製床システムを提供することを目的とする。
【０００８】
本願発明は、既存のシステムに代わる、プレハブの木製床システムのための基礎床セクション、基礎床及びプレハブの木製床システムを提供することを目的とする。
【０００９】
本発明は、改善された性能、例えば、衝撃吸収、垂直変形、ボールバウンス、転動荷重、領域偏向及び耐荷重性を有する、プレハブの木製床システムのための基礎床セクション、及びプレハブの木製床システムを提供することを目的とする。
【００１０】
本発明は、容易に設置でき、組立のコストが減少できる、プレハブの木製床システムのための基礎床セクション、及びプレハブの木製床システムを提供することを目的とする。
【課題を解決するための手段】
【００１１】
本願発明は、上側部及び下側部を備える主デッキを具備する衝撃吸収基礎床セクションに関し、前記主デッキは前記上側部の上に配置された少なくとも２つの基礎床セクションを相互接続するために相互接続手段を具備し、前記下側部の下に取り付けられた衝撃吸収手段、前記主デッキの前記下側部の下に取り付けられ衝撃吸収手段に近接して備えられた、サブ床、を具備し、前記サブ床は前記衝撃吸収手段の高さ（Ｌ１０）よりも少ない厚みを有する。
【００１２】
特定の実施形態によれば、衝撃吸収基礎床セクションは、以下の特性の、１つ、又は幾つかの組み合わせを備えてもよい：
−  衝撃吸収基礎床セクションは、さらに、サブ床から、外方向に及び下方向に延在して、埋め込まれている弾性手段を具備し、吸収手段及び前記弾性手段は使用時に同じ平面で覆うため表面に同時に接触するように配置され、
−  弾性手段は、連続的なチャネルに下方向に面して配置され、
−  サブ床は主デッキの長さに沿って且つ３つの連続的な衝撃吸収手段の間に亘る２つのパネルで作られ、第１及び第２の連続部は、主デッキの２つの反対縁部に備えられ、第３の連続部は前記主デッキの真ん中部分に備えられ、
−  衝撃吸収手段は、複数の平行な列に主デッキの長さに沿って配置されて周期的に間隔を有する複数のパッドを具備し、２つの前記列が前記主デッキの２つの反対側縁に配置され、２つの列が前記主デッキの中間部分に配置され、
−  パッドは４５〜７０のデュロメーターの間に含まれる硬度を有し、
−  衝撃吸収手段はサブ床の長さ及び両側に沿って配置される少なくとも１つのフォームを具備し、
−  衝撃吸収基礎床セクションは、さらに、覆うために表面に前記基礎床セクション（１）を取り付けるためのアンカー手段を具備し、
−  相互接続手段は、第１及び第２くぎ打ちストリップを含み主デッキの第１及び第２反対縁にあり、第１くぎ打ちストリップは接続部分を形成するために後方かつ前記第１縁上に延在し、第２くぎ打ちストリップは接続部分を形成するために外側に超えてかつ前記第２縁上に延在し、両接続部分は互いに協働し、
−  相互接続手段は、主デッキの上かつ実質的に中心に配置され、第３縁を外側に越えて上に延在しかつ第４縁を後方にかつ上に延在し、協働接続部分を形成ずるため前記主デッキの第３縁と反対側に第３くぎ打ちストリップを具備し、
−  衝撃吸収基礎床セクションは木で作られる。
【００１３】
本願発明は、また、本発明に従った少なくとも２つの相互接続された衝撃吸収床セクション及び上側床を具備するプレハブの床システムに関する。
【００１４】
好ましい実施形態において、プレハブの床システムはスポーツ床である。
【図面の簡単な説明】
【００１５】
【図１】本発明による基礎床セクションの第１実施形態を図式的に表した図である。
【図２】本発明による基礎床セクションの第２実施形態を図式的に表した図である。
【図３】本発明による基礎床セクションの第３実施形態を図式的に表した図である。
【図４】本発明による基礎床セクションの第４実施形態を図式的に表した図である。
【図５】本発明による基礎床セクションの第５実施形態を図式的に表した図である。
【図６】本発明による基礎床セクションの第６実施形態を図式的に表した図である。
【図７】図１に表された基礎床セクションの第１実施形態を図式的に表した下側図である。
【図８】図５に表された基礎床セクションの第５実施形態を図式的に表した下側図である。
【図９】図３に表された基礎床セクションの第３実施形態を図式的に表した下側図である。
【図１０】図６に表された基礎床セクションの第６実施形態を図式的に表した下側図である。
【図１１】図１、２、４、又は５に表された基礎床セクションを図式的に表した上側図である。
【図１２】図３又は６に表された基礎床セクションを図式的に表した上側図である。
【図１３】基礎床セクションのサブ床の１つの実施形態を図式的に表した図である。
【図１４】基礎床セクションの弾性手段の１つの実施形態を図式的に表した図である。
【図１５】基礎床セクションのサブ床の第２実施形態を図式的に表した図である。
【図１６】床システムのアンカーセクションの１つの実施形態を図式的に表した図である。
【図１７】基礎床セクションのアンカー手段の斜視図である。
【図１８】基礎床セクションの第１縁の接続部の１つの実施形態を図式的に表した図である。
【図１９】基礎床セクションの第２縁の接続部の１つの実施形態を図式的に表した図である。
【図２０】２つの近接する基礎床セクションの接続形状の１つの実施形態を図式的に表した図である。
【図２１】図１で表される基礎床と上側床を具備する床システムの一部を図式的に表した図である。
【図２２】図２で表される基礎床と上側床を具備する床システムの一部を図式的に表した図である。
【図２３】図６で表される基礎床と上側床を具備する床システムの一部を図式的に表した図である。
【図２４】図２２で表される床システムの図式的に表した拡大図である。
【発明を実施するための形態】
【００１６】
本発明による衝撃吸収基礎床セクション１は、任意の適した形状、好ましくは正方形又は矩形の形状を有し、上側部２０１及び下側部２０２を具備する主デッキ２、主デッキ２の下に配置される衝撃吸収手段３及びサブ床４を具備する。
【００１７】
主デッキ２は１つのピースのパネルであり、好ましくは木製であり、任意の好ましい厚みＬ７を有している。好ましい実施形態においては、それは、４８インチ（１．２２ｍ）×９６インチ（２．４４ｍ）で１５／３２インチ（１１ｍｍ）の厚みの合板パネルである。
【００１８】
主デッキ２の衝撃吸収手段３は、任意の適した弾性材料から作られかつ任意の適した外形（図１〜６）を有する、少なくとも１つの装置、より好ましくは複数の装置を具備する。高さ（Ｌ１０）を有する衝撃吸収手段３は、主デッキ２の下に備えられ、そしてサブ床４の長さ下に連続して及び両側に通る。
【００１９】
一旦基礎床セクション１が、コンクリート又はスラブをカバーするために表面に設置されると、基礎床セクション１を具備する床システムの通常の使用では、覆うために、衝撃吸収手段３のみが関与して、その表面に接触する。
【００２０】
衝撃吸収手段３は、任意の適した形状を有している。第１実施形態において、衝撃吸収手段３は、１つのパッド、又は周期的に間隔を空けて実質的に均一な断面形状を有する複数のパッドを具備する。好ましくは、前記パッドは、正方形の断面（図１及び４）又はより好ましくは円錐台断面（図２及び５）を表す。それらは、サブ床が関与して表面をカバーすることを可能にすることなしに、通常の使用の際表面をカバーして関与するために任意の好ましい高さを有する。したがって、それらは、サブ床４の高さ又は厚みよりも高い高さを有している。
【００２１】
基礎床セクション１当たり好ましくは２４〜３２の、複数のパッドは、２つの反対縁で主デッキ２の長さ、に沿って１つの列を形成するため、及び中間部分中で主デッキ２の長さに沿って整列された２つの列を形成するために、そして各列は平行であり（図７及び８）、整列されて周期的に間隔が空けられる。パッドの二重の列は、基礎床セクション１のより重い負荷耐性を増大させる。
【００２２】
パッドは、任意の適した硬度を有し、好ましくは４５〜７０デュロメーターを、より好ましくは３０〜３５デュロメーターを具備する。
【００２３】
別の好ましい実施形態において、衝撃吸収手段３は、基礎床セクション１セクションの音響特性を改善するために、サブ床４（図３及び６）の長さ及び両側に沿って備えられる、少なくとも１つのフォーム、例えばウレタンベースのフォームを具備する。基礎床セクション１は、さらに、主デッキ２の上に備えられる少なくとも１つのフォーム２３を具備してもよい。
【００２４】
衝撃吸収手段３として使用されるフォーム及びフォーム２３は、同じ厚み又は異なる厚みのいずれを有してもよい。フォームは任意の適した間接負荷たわみ（ＩＬＤ）を有する。好ましくは、フォームは、立方フィート当たり約０．０８ポンド（０．３９０６ｋｇ／ｍ２）の密度を有する。
【００２５】
衝撃吸収手段３は、サブ床４との組立前又は組立後のいずれかに、任意の適した手段により主デッキ２に固定され、基礎床セクション１セクションがプレハブの床である場合には、それらは基礎床セクション１の建築中に好ましく固定される。好ましくは、衝撃吸収手段３は、主デッキ２上でホチキス止めされるか糊付けされる。
【００２６】
主デッキ２は、さらに、主デッキ２の下側部２０２の下に備えられ、衝撃吸収手段３に近接して配置される、サブ床４を具備する。好ましくは、サブ床４は、主デッキ２の長さに沿って衝撃吸収手段３の３つの連続部分の間を渡す２つのピース、又はパネル、から作られる。サブ床４又はサブ床４のピースは、カバーする表面から衝撃吸収手段３よりも高く備えられ、基礎床セクション１が高い負荷、又は通常の使用の際の負荷よりもより高い負荷で圧縮された場合に、サブ床４又はサブ床４のピースがコンクリート又はスラブに接触することを可能にし、例えば、運動競技用器材では、したがって、基礎床セクション１セクションが通常の使用中の力の減少を妥協することなく改善された垂直耐性を示すことを可能にする。サブ床４及び衝撃吸収手段４の間の高さの差異は、圧縮空間を規定し、高い負荷、又は通常の使用の場合よりも高い負荷が、主デッキ２に加えられる場合にはいつでも、サブ床４が「ブロック」手段として作用することを可能にする。
【００２７】
好ましくは、サブ床４は、２つの木製パネルから作られる。
【００２８】
サブ床４は、弾性手段５（図４〜６）をさらに具備し、基礎床セクション１が設置されるときに、カバーするために表面に接触して、通常の使用の際、良好な寸法安定性を提供する。これは、床の形状が懸念される際によくある「デッドスポット」の問題を改善する。基礎床セクション１セクションが、カバーのため表面に置かれる場合に、衝撃吸収手段３及び弾性手段５は、コンクリート及びスラブ両方を繋げる。
【００２９】
弾性手段５は、サブ床４に埋められ、サブ床４から外側に且つ下側に延在する。サブ床４の厚みは、サブ床４及び弾性手段５の外側延在部分の全体厚みよりも薄い。したがって、サブ床４から外側に延在する弾性手段５の一部の高さは、サブ床４の圧縮空間に相当する。
【００３０】
弾性手段５は、任意の適した材料、例えば、ゴム、フォーム又は他のクッション性の材料から作られる。
【００３１】
弾性手段５は、任意の適した柔軟性又は硬度を有する。好ましくは、それらの密度は、衝撃吸収手段３の硬度並びに基礎床セクション１及びプレハブの床システムの最終性能を考慮して選択される。
【００３２】
弾性手段５がゴムから作られる実施形態において、それらの密度は、立方フィート（４８０．５５Ｋｇ／ｍ３）当たり３０ポンドから立方フィート（１１２１．２９Ｋｇ／ｍ３）当たり７０ポンドの間にあることができる。
【００３３】
好ましい実施形態において、弾性手段５は、インサート部を備え、インサート部は前記インサート部の両側に近接して通るサブ床４の２つのピース、好ましくは２つの合板により囲まれた弾性材料から作られる。
【００３４】
別の好ましい実施形態において、サブ床４は１つのピースから作られ、そして、中空部、又は窪み、はその全体長さに沿った下側の面に穴があけられ、このように形成された中空部分内にインサート部が設置される。
【００３５】
両実施形態において、サブ床４は、上側セクション１３及び２つの通常垂直の側壁１６及び１７（図１３〜１５）を備える連続的なチャネル６、又はレール、をさらに具備してもよく、上側セクション１５は主デッキ２に面し、垂直側壁１６及び１７はサブ床４又はサブ床４の２つのピース（図１３）に面する。連続的なチャネル６は、カバーするため表面に面して接触する弾性手段５、すなわち、インサート部を具備する。金属チャネル６は、実質的にインサート部と同じ形状を有し、実質的に同じ断面形状を有する。好ましくは、連続的なチャネル６は、任意の適した剛性材料から作られ、例えば金属から作られ、より好ましくは鋼鉄から作られる。
【００３６】
弾性手段５は、サブ床４の長さに沿って走る長いストリップのゴムであってもよく、又は実質的に均一な断面形状を有する弾性材料の複数のピース、又はポッドを含んでもよく、例えば、サブ床４の長さに沿って矩形で横たわる６から８のゴムの基礎床セクション１当たり２インチ×２インチ（５ｃｍ×５ｃｍ）のピースを含んでもよい。
【００３７】
好ましくは、弾性手段５は正方形セクションを有し、カバーするため表面と接触する側にベベル縁を備える（図１０及び１１）。
【００３８】
サブ床４、弾性手段５、及びもし存在すれば連続チャネル６は、アンカー手段７を、さらに具備してもよく、サブ床４、弾性手段５及びもし存在すれば連続チャネル６を通じて延在する、少なくとも１つの穴、より好ましくは複数の穴を好ましく具備する。アンカー手段７は、穴と協働するための手段、例えばアンカーピン１８、又は複数のアンカーピンを、さらに具備し、主デッキ２の頂上から、もし存在すれば金属チャネル６を通じて、弾性手段５、すなわち、インサート部、下のスラブ又はコンクリートにセットされる。
【００３９】
アンカー手段７及び前記アンカー手段７と協働するための手段は、サブ床４により提供されるブロック効果を維持するために基礎床セクション１が垂直に動いてもよいように、選択される。
【００４０】
基礎床セクション１は、さらに、少なくとも２つの基礎床セクション１を相互接続するために相互接続手段を具備し、前記手段は主デッキ２の上側部２０１上に配置される。相互接続手段は、少なくとも１つの縁に、好ましくは２つの縁に、より好ましくは４つの縁に、さらにより好ましくは前記基礎床セクション１の全ての縁に配置される。
【００４１】
１つの基礎床ユニットからの１つ又は幾つかの縁の相互接続手段は、相互接続ジャンクションを形成するため、同じ基礎床ユニットの又は別の基礎床ユニットの少なくとも一つの縁の相互接続手段と協働するために、相補的である。
【００４２】
好ましい実施形態において、相互接続手段は、舌部−溝部相互接続ジャンクションを形成するために少なくとも一つの舌部及び少なくとも一つの溝部を具備する。
【００４３】
別の好ましい実施形態において、相互接続手段は、基礎床セクション１の反対又は近接の２つの縁部で指連結型ジョイント部を備える。好ましくは、相互接続手段は、平行に整列されて上側部２０１上に横たわり主デッキ２の長さに沿ってくぎ打ちストリップ部を具備する。
【００４４】
基礎床セクション１セクションは、主デッキ２の反対縁部に少なくとも２つのくぎ打ちストリップ８及び１０を具備し、くぎ打ちストリップ８はジョイント部１１を形成するために後方に（縁部からずらされて）かつ第１の縁部上に延在し（図１９）、他のくぎ打ちストリップ１０はジョイント部１２を形成するために主デッキ２の第２の且つ反対縁を超えてかつ上に外側に延在し（図１８）、両ジャンクション部は協働する。第３縁を外側に超えて上にあり、第４縁の後方に且つ上にある、くぎ打ちストリップ８及び１０は、協働的なジョイント部１３及び１４を形成するために、主デッキ２の第３縁と向かい側にある（図２０）。
【００４５】
したがって、指連結外形は、基礎床セクション１セクションの長さ及び幅の両方の上で作られる。
【００４６】
好ましくは、基礎床セクション１セクションは、さらに、協働的なジョイント部分１３及び１４を形成するために、上側部２０１上に及び主デッキ２の実質的に中央に配置され、第３縁を外側に越えて及び上に延在し、主デッキ２の第３縁に対向する第４縁の後方にそして上に延在する、第３くぎ打ちストリップ９を具備する。
【００４７】
好ましくは、２つのくぎ打ちストリップ８及び１０は、主デッキ２の縁の衝撃吸収手段３の実質的に上に配置され、第３くぎ打ちストリップ９は主デッキ２の中央の衝撃吸収手段の実質的に上に配置される（図６〜１２）。
【００４８】
くぎ打ちストリップ８，９及び１０は、実質的に、同じ長さと同じ厚みを有するが、異なる幅を有してもよい。
【００４９】
好ましくは、基礎床セクション１は、主デッキ２上に衝撃吸収手段３をさらに具備し、好ましくは、少なくとも１つのフォーム２３はくぎ打ちストリップ９の長さ、及び両側を間断なく通る（図６）。
【００５０】
基礎床セクション１のジョイント部分１１（図１９）及び１２（図１８）は、図２０で表されている相互接続ジャンクション１９を形成するために、第２基礎床セクション１のそれぞれジョイント部１２及び１１と協働して、２つの近接する基礎床セクション１ユニットを接続する。同じ方法で、ジョイント部１３及び１４は、第２基礎床セクション１のそれぞれのジョイント部１４及び１３と協働して、２つの近接する基礎床セクション１ユニットと接続する。好ましくは、０．２５インチ（０．６ｃｍ）のギャップが、周辺部辺りのそれぞれのパネルの間で維持される。このギャップは、負荷の下で撓む場合にジョイント部が擦れあうことにより作り出される騒音を防ぐ又は減少する利益をもたらし、小さな寸法の拡大又は収縮制御を提供する。
【００５１】
次いで備えられる相互接続ジャンクションは、任意の適した手段、好ましくは釘により、固定される。
【００５２】
実施例として、基礎床セクションは、木製であり、より詳しくは合板パネルであり、矩形である。全体幅Ｌは、約４フィート（１．２２ｍ）及び２インチ（５ｃｍ）であり、そして全体長さＬ１１は、約８フィート（２．４４ｍ）及び２インチ（５ｃｍ）である。主デッキ２は、約８フィート（２．４４ｍ）の長さのために約４フィート（１．２２ｍ）の幅Ｌ１を有し、１／２インチ（１．２７ｃｍ）の厚みＬ７を有する。主デッキ２上に取り付けられる、約９６インチ（２．４４ｍ）の長さ及び約１５／３２インチ（１１ｍｍ）厚み（Ｌ８）合板の、３つのくぎ打ちストリップ８、９及び１０があり、くぎ打ちストリップ８は、主デッキ２でずらされ、約４インチ（１０．１６ｃｍ）幅（Ｌ２）からなり、くぎ打ちストリップ９は、中央上に約１２インチ（３０．４８ｃｍ）幅（Ｌ４）からなり、くぎ打ちストリップ１０は主デッキ２を越えて延在し約８インチ（２０．３２ｃｍ）幅（Ｌ５）からなりジョイント部１２を形成するため約２インチ（５ｃｍ）の距離Ｌ６だけ延在する。主デスクの縁に配置されている全てのくぎ打ちストリップは、１約フィート（０．３ｍ）の距離Ｌ３だけ前記主デスク２の中央に配置されるくぎ打ちストリップから分離される。全てのくぎ打ちストリップは、ジョイント部１３及び１４を形成するため主デッキ２から約４インチ（１０．２０ｃｍ）ずらされている。衝撃吸収手段３は、約２インチ（５ｃｍ）の長さで約３／４インチ（１９ｍｍ）の高さＬ１０及び約２インチ（５ｃｍ）の幅を有する。８フィート（２．４４ｍ）当たり４フィート（１．２２ｍ）の主デッキ２のため、吸収手段３の各列は、約１２インチ（３０．５ｃｍ）（Ｌ１５）の周期的な間隔が空けられた８つのパッドを具備し、主デッキ２の縁から６インチ（１５．２ｃｍ）の距離Ｌ１４及びＬ１８に、そしてサブ床４の縁から３インチ（７．６ｃｍ）の距離Ｌ１６に備えられる。サブ床４は、約１／２インチ（１．２７ｃｍ）の厚みＬ９を有する。連続的なチャネル６を具備する実施形態のため、前記チャネルは約２インチ（５ｃｍ）の幅Ｌ１２及び約１／２インチ（１．２７ｃｍ）の高さＬ１３を有する。
【００５３】
本発明による床システム２１は、少なくとも１つの基礎床セクション１、好ましくは複数の基礎床セクション１を有し、好ましくはプレハブであり、そして通常並んで且つ端から端まで配置され、床に置かれ、又は好ましくはスラブの下からの湿気を防ぐためのコンクリート又はスラブを覆う蒸気抑制層２０に置かれ、床システム２１は連続的な床（図２１〜２４）を提供するためにさらに上側床２２を備える。
【００５４】
上側床２２は、任意の適する床であり、相互接続された幾つかのパネルからなる木製床が好ましく、基礎床セクションに垂直に配置されるのが好ましい。
【００５５】
好ましい実施形態において、上側床２２は、３／４インチ（１９ｍｍ）の厚みで２．２５インチ幅（５７ｍｍ）のパネルでありその長さはランダムに分散されているものを具備する。
【００５６】
複数の基礎床セクション１、そして本発明による床システムは、浮遊システムとして設置されることができる。しかしながら、アンカーピン１８と協働するアンカー手段７を使用して、固定されたシステムとして設置されることもでき、システムは可動部分が減少され又は除去され、各基礎床セクションは相互接続ジャンクションにより近接する基礎床に接続され、それゆえ、高いレベルの性能を妥協することなく全ての寸法安定性を提供する。
【００５７】
本発明による床システム２１は、ゲーム性能、並びに典型的な固定された観覧席設備及び可搬式の運動設備又は装置の取扱いを提供する。
【００５８】
本発明の異なる実施形態の床システム２１の性能がＥＮ１４９０４（２００６）によりテストされた。特に、テストされたのは、力減少、使用者により生成された衝撃力を給するための床システムの能力であり、ボールリバウンド、ボールのコンクリートのリバウンド反応に対するシステムの反応であり、垂直撓み、表面に使用者（プレーヤー）が着陸する衝撃中における床システムの下方向運動であり、及び圧入、どの程度システムによる振動が含まれるかである。結果が表１に要約される。
【表１】
0006005038.tif 000002
【００５９】
実施形態第１は、図５で表される４フィート（１．２２ｍ）辺り８フィート（２．４４ｍ）の基礎床セクション１に対応し、衝撃吸収手段３を具備し、その形状は、主デッキ２の長さに沿って２つの対向縁に備えられる４つの列の７０デュロメーターのパッド、並びに主デッキ２の長さに沿って平行に配置される２つの列のパッドである。サブ床４は、２つの合板パネルを具備し、鋼鉄から作られる連続チャネル６の両側に近接して通り、そして連続的なゴムインサート部を備える。
【００６０】
実施形態第２は、サブ床４が連続的なゴムインサート部を具備して連続的なチャネル６を具備しないという事実以外は、実施形態第１と同じである。
【００６１】
実施形態第３は、連続的なチャネル６がゴムポッドインサート部を具備するという事実以外は、実施形態第１と同じである。
【００６２】
実施形態第４は、サブ床４が連続的なチャネル６を具備しないという事実以外は、実施形態第３と同じである。
【００６３】
表１から、ボールバウンス結果は、テストされた全ての実施形態にとって大変均一であるように見える。全ての実施形態にとって、ボールバウンスは約１０１％であり、非常によいボールプレイを意味しており、これはおそらく床システムのより少ないデッドスポットに起因する。
【００６４】
垂直撓みに関して、テストされた全ての基礎床セクション１は、連続的なチャネル６を備えて又はそれなしで、非常に減少された振動を表す。連続的なインサート部を具備する実施形態は、僅かによい性能を表す。
【符号の説明】
【００６５】
１  衝撃吸収基礎床セクション
２  主デッキ
３  衝撃吸収手段
４  サブ床
５  弾性手段
６  連続的なチャネル
７  アンカー手段
８  くぎ打ちストリップ
１０  くぎ打ちストリップ
１１  ジョイント部
１２  ジョイント部
１３  ジョイント部
１４  ジョイント部
１６  側壁
１７  側壁
１８  アンカーピン
２１  床システム
２３  フォーム
２０１  上側部
２０２  下側部
【図１】
0006005038.tif 000003
【図２】
0006005038.tif 000004
【図３】
0006005038.tif 000005
【図４】
0006005038.tif 000006
【図５】
0006005038.tif 000007
【図６】
0006005038.tif 000008
【図７】
0006005038.tif 000009
【図８】
0006005038.tif 000010
【図９】
0006005038.tif 000011
【図１０】
0006005038.tif 000012
【図１１】
0006005038.tif 000013
【図１２】
0006005038.tif 000014
【図１３】
0006005038.tif 000015
【図１４】
0006005038.tif 000016
【図１５】
0006005038.tif 000017
【図１６】
0006005038.tif 000018
【図１７】
0006005038.tif 000019
【図１８】
0006005038.tif 000020
【図１９】
0006005038.tif 000021
【図２０】
0006005038.tif 000022
【図２１】
0006005038.tif 000023
【図２２】
0006005038.tif 000024
【図２３】
0006005038.tif 000025
【図２４】
0006005038.tif 000026